(57)【要約】      （修正有）【課題】集塵タンク内の塵埃排出時に、塵埃が手などに付着せず衛生的に塵埃排出が行え、更に車輪ベースと集塵タンクが外れることを防止する。【解決手段】上面に開口を有し、側面のホースを連結するホース接続部１から吸い込まれる塵埃を溜める集塵タンク２の上面開口に着脱可能に連結され、上方にハンドル５を備えるとともに、前記集塵タンク２内に臨む吸気口を有し、前記集塵タンク２内の空気を前記吸気口から吸い込む本体ユニット３と前記集塵タンク２との間に介在する気密パッキン１０を設け、前記吸気口の下方には前記集塵タンク２に吸い込まれた塵埃が前記吸気口を通って電動送風機側へ侵入するのを阻止するためのフィルタと、前記集塵タンク２の下方には走行用車輪９と車輪ベース把手８を具備した車輪ベース７と、を備え、前記集塵タンク２は、略垂直方向から前記車輪ベース７に挿入した状態で、車輪ベース７に集塵タンク係止用ねじで係止する。【選択図】図１
2014221129.tif 000002
【特許請求の範囲】
【請求項１】
上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタと、前記集塵タンクの下方には走行用車輪と車輪ベース把手を具備した車輪ベースと、を備え、前記集塵タンクは、略垂直方向から前記車輪ベースに挿入した状態で、前記車輪ベースに集塵タンク係止用ねじで係止していることを特徴とする電気掃除機。
【請求項２】
請求項１に記載の電気掃除機において、前記集塵タンク係止用ねじは、前記集塵タンクの天地方向に対して横方向から係止することを特徴とする電気掃除機。
【請求項３】
請求項１に記載の電気掃除機において、前記集塵タンク係止用ねじの係止方向は、前記集塵タンクの中心側から外側に向かうことを特徴とする電気掃除機。
【請求項４】
請求項１に記載の電気掃除機において、前記集塵タンクと前記車輪ベースとのねじ係止方向が、前記集塵タンクの中心側から外側に向かうとともに、床面に対し、前記集塵タンク係止用ねじの先端部が上方に傾斜することを特徴とする電気掃除機。
【請求項５】
上面に開口を有し、側面にホースを連結するホース接続部を有し、把手を設けた前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタと、前記集塵タンクの下方には走行用車輪と車輪ベース把手を具備した車輪ベースと、を備え、前記集塵タンクは、略垂直方向から前記車輪ベースに挿入した状態で、前記車輪ベース把手側で車輪ベースに前記集塵タンク係止用ねじで係止し、当該電気掃除機において、前記把手と、前記車輪ベースに設けられた把手を略同一方向に配置することを特徴とする電気掃除機。
【発明の詳細な説明】
【技術分野】
【０００１】
本発明は電気掃除機に係り、特に電動送風機と集塵部を上下配置にし、電動送風機を内蔵した本体ユニットと集塵部を形成する集塵タンクとが着脱可能な電気掃除機に関する。
【背景技術】
【０００２】
従来、電気掃除機において、掃除機本体を持ち運びするためのハンドルが本体ユニット上部に設けられていた。この技術は特許文献１に記載されている。このようなハンドルを備えた電気掃除機において、使用者は、かがむことなくハンドルを握り電気掃除機を持ち運びすることができる。更に、集塵タンク内に溜まった塵埃を排出するために、本体ユニットを集塵タンクからとり外す際、本体ユニットを持ちやすくするという効果もあった。
【先行技術文献】
【特許文献】
【０００３】
【特許文献１】特開平１−２１２５２３号公報
【発明の概要】
【発明が解決しようとする課題】
【０００４】
例えば、特許文献１に記載の電気掃除機において、集塵タンク内に溜まった塵埃を排出するために、使用者は、本体ユニットを集塵タンクから外した後、塵埃廃棄場所へ集塵タンクを移動したり、集塵タンクを持ち上げたりなどし、集塵タンクを傾斜させ集塵タンク内部の塵埃を排出する必要がある。
【０００５】
しかしながら、特許文献１に記載の電気掃除機は、本体ユニットを取り外した後は、容易に握ることができる部分がなかったため、集塵タンク内に溜まった塵埃を排出するときは、集塵タンク上面開口縁部や集塵タンク側面、あるいは走行用車輪近傍などを握り集塵タンクを傾斜させる必要があった。
【０００６】
集塵タンクの塵埃排出のため、集塵タンク上面開口縁部を握った場合、塵埃排出時に塵埃が手などに付着してしまい衛生的でなくなる恐れがある。また、集塵タンク上面開口部以外として集塵タンク側面に手を添えた場合、強く握れる箇所がないため、集塵タンクを支えている手が滑りやすくなり取扱いが容易ではなくなる恐れがある。
【０００７】
一般的に集塵タンクを具備する電気掃除機は集塵容積が大きいため、塵埃が溜まった後の集塵タンクの重量が重い。このため使用者が手を滑らすなどの恐れは更に高くなる。
【０００８】
また、特許文献１に記載の電気掃除機では、集塵タンクの下底面の周縁端部と側面下端部とを互いに折り返して下底面の周縁に形成した周縁折返部と車輪ベースに設けられた固定用ツメとの抜け止めにより集塵タンクが車輪ベースに取り付けられているため、集塵タンクを移動させる際などに集塵タンクと車輪ベースとが外れる恐れがある。
【０００９】
本発明は、集塵タンク内の塵埃排出時に、塵埃が手などに付着せず衛生的に塵埃排出が行え、更に車輪ベースと集塵タンクが外れることを防止する電気掃除機の提供を目的とする。
【課題を解決するための手段】
【００１０】
本発明は前記種々の問題点に鑑みてなされたもので、上面に開口を有し、側面にホースを連結するホース接続部を有し、前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタと、前記集塵タンクの下方には走行用車輪と車輪ベース把手を具備した車輪ベースと、を備え、前記集塵タンクは、略垂直方向から前記車輪ベースに挿入した状態で、前記車輪ベースに集塵タンク係止用ねじで係止している。
【００１１】
また、上面に開口を有し、側面にホースを連結するホース接続部を有し、把手を設けた前記ホース接続部から吸い込まれる塵埃を溜める集塵タンクと、前記集塵タンクの上面開口に着脱可能に連結され、上方にハンドルを備えるとともに、前記集塵タンク内に臨む吸気口を有し、内部に電動送風機を内蔵し、前記集塵タンク内の空気を前記吸気口から吸い込む本体ユニットと、前記集塵タンクと前記本体ユニットとの間に介在する気密パッキンを設け、前記吸気口の下方には前記集塵タンクに吸い込まれた塵埃が前記吸気口を通って前記電動送風機側へ侵入するのを阻止するためのフィルタと、前記集塵タンクの下方には走行用車輪と車輪ベース把手を具備した車輪ベースと、を備え、前記集塵タンクは、略垂直方向から前記車輪ベースに挿入した状態で、前記車輪ベース把手側で車輪ベースに前記集塵タンク係止用ねじで係止し、当該電気掃除機において、前記把手と、前記車輪ベースに設けられた把手を略同一方向に配置する。
【発明の効果】
【００１２】
上記本発明の電気掃除機は、集塵タンク内の塵埃排出時に、塵埃が手などに付着せず衛生的に塵埃排出を行え、更に車輪ベースと集塵タンクが外れることを防止する電気掃除機を提供することができる。
【図面の簡単な説明】
【００１３】
【図１】本発明の第１の実施形態に係る電気掃除機の外観斜視図である。
【図２】本発明の第１の実施形態に係る電気掃除機の断面図である。
【図３】本発明の第１の実施形態に係る電気掃除機の車輪ベースの外観斜視図である。
【図４】本発明の第１の実施形態に係る電気掃除機の分解斜視図である。
【図５】本発明の第１の実施形態に係る電気掃除機の、塵埃排出時の状態を示す図である。
【図６】本発明の第４の実施形態に係る電気掃除機の集塵タンクと車輪ベースの組立てを示す断面図である。
【図７】本発明の第４の実施形態に係る電気掃除機の車輪ベースの断面図である。
【図８】本発明の第５の実施形態に係る電気掃除機の外観斜視図である。
【図９】本発明の第５の実施形態に係る電気掃除機の分解斜視図である。
【図１０】本発明の第５の実施形態に係る電気掃除機の、塵埃排出時の状態を示す図である。
【発明を実施するための形態】
【００１４】
以下、本発明の第１の実施形態を図１〜図５を用いて説明する。図１は本実施形態に係る電気掃除機の外観斜視図、図２は本実施形態に係る電気掃除機の断面図、図３は本実施形態に係る電気掃除機の車輪ベースの外観斜視図、図４は本実施形態に係る電気掃除機の分解斜視図、図５は本実施形態に係る電気掃除機の塵埃排出時の状態を示す図である。
【００１５】
図１において、１はホース接続部、２は集塵タンク、３は本体ユニット、１０は気密パッキン、９は走行用車輪、６はクランプ、７は車輪ベース、４は本体ケース、８は車輪ベース７に設けられた車輪ベース把手、５は、本体ユニット３に設けられたハンドルである。
【００１６】
集塵タンク２は、上面に開口を有する略円筒形状の部材である。集塵タンク２は、側面にホースを連結するホース接続部１を有している。本体ユニット３は、集塵タンク２の上面の開口に着脱可能に連結される。本体ユニット３と集塵タンク２とはクランプ６により係止される。
【００１７】
以下、図２を用いて実施形態を詳細に説明する。
【００１８】
図２において、１６は吸気口、１５は電動送風機、１９はフィルタ、１８はフィルターワク、１７はモーターベース、２０は電源コード、１１は集塵タンク取付け溝、１２は集塵タンク巻締部、１３はホース接続部係止用ねじ、１４はクチパッキン、２１は集塵タンク係止用ねじ、２３は車輪ベースねじボスである。
【００１９】
集塵タンク２の側面のホース接続部１から吸い込まれた塵埃は、集塵タンク２内に溜められる。ホース接続部１と集塵タンク２の間の気密はクチパッキン１４にて保たれている。
【００２０】
塵埃を集塵するための吸引力は、本体ユニット３内部の電動送風機１５により得られる。
【００２１】
本体ユニット３は、ウエケース４と、その上部にハンドル５が備えられ、内部に電動送風機１５を備えている。また、本体ユニット３を集塵タンク２に取り付けた状態では、電動送風機１５は、集塵タンク２内部に臨み、モーターベース１７にて保持されている。モーターベース１７の下方には吸気口１６が設けられており本体ユニット３を構成している。
【００２２】
電動送風機１５への塵埃の流入を防ぐために、電動送風機１５の下方にフィルタ１９が設けられている。電動送風機１５の吸引力により、フィルタ１９が電動送風機１５側へ吸着されないように、フィルタ１９はフィルターワク１８に取り付けられている。また、気密パッキン１０は、フィルターワク１８とフィルタ１９を包含し、本体ユニット３及び集塵タンク２の間の気密を保つように設けられている。
【００２３】
集塵タンク２がティンフリースチールのような金属の場合、底板と胴板は、集塵タンク巻締部１２にて一体となり製缶が行われる。この場合、周方向に一様に集塵タンク巻締部１２が形成されるが、集塵タンク２をＡＢＳなどの樹脂で形成し、前記集塵タンク巻締部１２に相当する箇所を部分的に形成しても良い。
【００２４】
集塵タンク２の下方には、掃除機本体が自由に移動できるよう走行用車輪９が設けられている。走行用車輪９は、車輪ベース７に設けられる。集塵タンク２は車輪ベース７に略垂直方向から挿入される。
【００２５】
車輪ベース７に設けられている集塵タンク取付け溝１１に集塵タンク２底部の集塵タンク巻締部１２が挿入される。
【００２６】
集塵タンク２と車輪ベース７を固定するための集塵タンク係止用ねじ２１は、車輪ベースねじボス２３に係止される。
【００２７】
ここで車輪ベース７の構造を、図３を用いて更に説明する。
【００２８】
車輪ベース７に設けられている集塵タンク取付け溝１１に挿入される集塵タンク２底部の集塵タンク巻締部１２は、車輪ベース係止リブ２４により、容易に抜けないよう保持される。
【００２９】
なお、集塵タンク係止用ねじ２１と車輪ベースねじボス２３は、複数個設けてもよい。
【００３０】
使用者が、集塵タンク２内に溜まった塵埃を排出する準備を、図４を用いて説明する。
【００３１】
まずクランプ６を外し、本体ユニット３を、本体ユニット３上部に設けられたハンドル５を握り集塵タンク２から取り外す。その後、フィルタ１９とフィルターワク１８を包含する気密パッキン１０を集塵タンク２から取り外し、図４に示すように、集塵タンク２内の塵埃が排出できる状態となる。
【００３２】
使用者が、集塵タンク２内に溜まった塵埃を排出する方法を図５を用いて説明する。
【００３３】
車輪ベース７に設けられた車輪ベース把手８を握ることにより、集塵容積が大きく、重量の重い掃除機であっても、しっかりと掃除機を保持できるため、使用者が容易に集塵タンク２を傾斜させて塵埃を排出することが可能となる。
【００３４】
また、このとき使用者は車輪ベース把手８を握っているため塵埃に触れることなく、衛生的に塵埃を排出することができる。
【００３５】
更に、集塵タンク２と車輪ベース７が集塵タンク係止用ねじ２１により係止されているため、集塵タンク２と車輪ベース７に加わる荷重に対し、耐久性をアップすることが可能となる。
【００３６】
また、図５のように、ホース接続部１側に配置されている車輪ベース把手８を上方に持って塵埃排出動作を行うことにより、ホース接続部１を上方にすることができ、集塵タンク２内の塵埃およびホース接続部１内の塵埃がこぼれ落ちないという効果も得られる。
【００３７】
次に本発明の第２の実施形態を説明する。
【００３８】
下記以外の点は第１の実施形態と略同じである。
【００３９】
図２に示す集塵タンク係止用ねじ２１を、集塵タンク２の天地方向に対して横方向から係止できるよう、車輪ベースねじボス２３も同様に横方向に設け係止する。
【００４０】
集塵タンク係止用ねじ２１は、集塵タンク巻締部１２に設けられた取付け用穴に挿入され、車輪ベースねじボス２３に係止される。
【００４１】
集塵タンク巻締部１２に取付け用穴を設けることにより、集塵タンク２の底面に取付け用穴を設ける必要がなく、集塵タンク２の気密を低下させる要因を減らすことができる。
【００４２】
また、集塵タンク２の底面に穴を設ける場合には、集塵タンク２の高さ分の加工治具が必要となるのに対し、本実施例では、集塵タンク巻締部１２の厚み分のみを考慮した加工治具で加工が行え、加工設備を軽装化することが可能となる。
【００４３】
次に本発明の第３の実施形態を説明する。
【００４４】
下記以外の点は第１の実施形態と略同じである。
【００４５】
図２に示す集塵タンク係止用ねじ２１を、集塵タンク２の中心側から外側に向かい係止できるよう、車輪ベースねじボス２３を外側から集塵タンク２の中心側へ設け、係止する。
【００４６】
集塵タンク係止用ねじ２１は、集塵タンク巻締部１２に設けられた取付け用穴に挿入され、車輪ベースねじボス２３に係止される。
【００４７】
集塵タンク２の中心側より係止することにより、外観面に集塵タンク係止用ねじ２１が現れることなく、意匠性が向上するというメリットがある。
【００４８】
次に本発明の第４の実施形態を、図６、図７を用いて説明する。
【００４９】
下記以外の点は第１の実施形態と略同じである。
【００５０】
図６において、集塵タンク係止用ねじ２１を、集塵タンク２の中心側から外側に向かい係止できるよう、車輪ベースねじボス２３を外側から集塵タンク２の中心側へ設けるとともに、床面に対し、集塵タンク係止用ねじ２１先端部が上方に傾斜するように、車輪ベースねじボス２３を設ける。
【００５１】
本実施形態により、集塵タンク２を車輪ベース７に固定する製造工程において、ドライバーなどの工具が集塵タンク２底面に干渉して集塵タンク２底面を傷つけることを防止することができ、係止方法が簡便となり、生産性を向上させることが可能となる。
【００５２】
図７には、本実施形態の車輪ベース７の断面図を示す。
【００５３】
図７において、車輪ベースねじボス２３近傍及び周囲には、集塵タンク２の集塵タンク巻締部１２を保持するための係止リブ２４が設けられている。
【００５４】
車輪ベースねじボス２３及び係止リブ２４の個数は、任意であるが、集塵タンク２の重量が大きければ大きいほど多いほうが効果的である。
【００５５】
次に本発明の第５の実施形態を図８〜１０を用いて説明する。
【００５６】
図８は本実施形態の斜視図である。下記以外の点は第１の実施形態と略同じである。
【００５７】
ここで把手２５はホース接続部１に設けられている。図８において、把手２５はホース接続部１に対し上方に配置されているが、側方に配置したり、下方に配置しても良い。
【００５８】
ホース接続部１に設けられた把手２５を握り、持ち上げることにより、塵埃排出時の移動の際、ホース接続部１を上方に向け、しっかりと握れ、ホース接続部１内の塵埃及び集塵タンク２内の塵埃がこぼれ落ちないという効果が得られる。
【００５９】
また、車輪ベース７に設けられている車輪ベース把手８は、当該電気掃除機において、把手２５と略同一方向に配置されているため、塵埃排出時に集塵タンク２を傾斜させる際に、把手２５及び車輪ベース７をしっかりと握れる（図１０参照）というメリットがある。
【００６０】
更に、把手２５を握ることにより、車輪ベースねじボス２３へ係止されている集塵タンク係止用ねじ２１へ加わる力を低減することができ、耐久性を向上することができるというメリットがある。
【００６１】
更に、集塵タンク２と車輪ベース７との係止部を、車輪ベース把手８側に設けることにより、効果的に係止強度を向上することができる。
【００６２】
図９は、本発明の第５の実施形態に係る電気掃除機の分解斜視図を示す。把手２５を設けたホース接続部１を集塵タンク２に取り付ける。
【００６３】
取り付ける集塵タンク２の内側からホース接続部係止用ねじ１３により、把手２５が一体となるホース接続部１を固定する。更に、取付ける集塵タンク２の内側に保持板部材２６を設け、保持板部材２６を介し、取付けねじ２７により、把手２５が一体となるホース接続部１を固定する。
【００６４】
保持板部材２６は、図９のように少なくとも１箇所に設ける。
【００６５】
本発明は、上面に開口を有し、側面にホースを連結するホース接続部１を有し、前記ホース接続部１から吸い込まれる塵埃を溜める集塵タンク２と、前記集塵タンク２の上面開口に着脱可能に連結され、上方にハンドル５を備えるとともに、前記集塵タンク２内に臨む吸気口１６を有し、内部に電動送風機１５を内蔵し、前記集塵タンク２内の空気を前記吸気口１６から吸い込む本体ユニット３と前記集塵タンク２と前記本体ユニット３との間に介在する気密パッキン１０を設け、前記吸気口１６の下方には前記集塵タンク２に吸い込まれた塵埃が前記吸気口１６を通って前記電動送風機１５側へ侵入するのを阻止するためのフィルタ１９と、前記集塵タンク２の下方には走行用車輪９と車輪ベース把手８を具備した車輪ベース７と、を備え、前記集塵タンク２は、略垂直方向から前記車輪ベース７に挿入した状態で、車輪ベース７に集塵タンク係止用ねじ２１で係止することにより、塵埃排出時などに、塵埃が手などに付着せず衛生的に塵埃排出が行え、更に車輪ベースと集塵タンクが外れることを防止するとともに製造時の作業性が向上する。
【００６６】
更にホース接続部に設けた把手と、車輪ベース把手を略同一方向に配置し、塵埃排出時に両方の把手を握ることにより、集塵タンクと車輪ベース係止部へ加わる力が低減でき、耐久性を向上する。
【符号の説明】
【００６７】
１    ホース接続部
２    集塵タンク
３    本体ユニット
４    本体ケース
５    ハンドル
６    クランプ
７    車輪ベース
８    車輪ベース把手
９    走行用車輪
１０  気密パッキン
１１  集塵タンク取付け溝
１２  集塵タンク巻締部
１３  ホース接続部係止用ねじ
１４  クチパッキン
１５  電動送風機
１６  吸気口
１７  モーターベース
１８  フィルターワク
１９  フィルタ
２０  電源コード
２１  集塵タンク係止用ねじ
２３  車輪ベースねじボス
２４  車輪ベース係止リブ
２５  把手
２６  保持板部材
２７  取付けねじ
【図１】
2014221129.tif 000003
【図２】
2014221129.tif 000004
【図３】
2014221129.tif 000005
【図４】
2014221129.tif 000006
【図５】
2014221129.tif 000007
【図６】
2014221129.tif 000008
【図７】
2014221129.tif 000009
【図８】
2014221129.tif 000010
【図９】
2014221129.tif 000011
【図１０】
2014221129.tif 000012